(57)【要約】      （修正有）【課題】使用者の好みで組立て方を変えられ、且つ極めて簡単な構造で、手工具を使用せず組立てられる組立て式収納ボックスを提供する。【解決手段】複数の矩形板１０と、複数のジョイント部材２０と、複数の連結具３０とを備え、矩形板１０の対向両端面に複数の挿入孔１１が設けられ、矩形板１０は収容空間を有する中空筺体を構成し、ジョイント部材２０は隣接する２つの矩形板１０の間に設置され、その一面における矩形板１０の挿入孔１１と対応する位置に、相対する２つの面と連通する複数のコ字形の凹溝２１が形成され、凹溝２１と対向する面に凹溝２１に連通する貫通孔２２が形成され、連結具３０は、係合片と挿入片の部材で、その交差部が凹溝２１に嵌め込まれ、挿入片は、矩形板１０の挿入孔１１に挿入、係合片はジョイント部材２０の貫通孔２２に係合する。【選択図】図１
2010088624.tif 000002
【特許請求の範囲】
【請求項１】
複数の矩形板（１０）と、複数のジョイント部材（２０）と、複数の連結具（３０）とを備え、該各矩形板（１０）における対向する両端面にそれぞれ複数の挿入孔（１１）が設けられると共に、該複数の矩形板（１０）は、収容空間を有する矩形の中空筺体を構成し、
前記複数のジョイント部材（２０）は隣接する２つの矩形板（１０）の間に設置され、その一面における矩形板（１０）の挿入孔（１１）と対応する位置にそれぞれ、相対する２つの面と連通する複数のコ字形の凹溝（２１）が形成されると共に、それらの凹溝（２１）と対向する面にそれぞれ該凹溝（２１）に連通する貫通孔（２２）が形成され、
前記連結具（３０）は、２本の係合片と２本の挿入片とが略十字状に交差した部材であり、その交差部は、前記ジョイント部材（２０）におけるコ字形の凹溝（２１）に嵌め込まれ、該挿入片は、矩形板（１０）の挿入孔（１１）に挿入されると共に、該係合片は、ジョイント部材（２０）における貫通孔（２２）に係合されることを特徴とする組立て式収納ボックス。
【請求項２】
前記ジョイント部材（２０）の端部に少なくとも一つの固定孔（２４）が形成され、
更に、四つ角のそれぞれに各ジョイント部材（２０）の固定孔（２４）と対応する孔（４１）が形成された背面板（４０）と、
該孔（４１）に挿設することにより、該背面板（４０）をジョイント部材（２０）上に固定するためのピン（５０）とを有することを特徴とする請求項１に記載の組立て式収納ボックス。
【請求項３】
前記複数の連結具（３０）は、３本の挿入片（３０Ａ１）と１本の係合片（３０Ａ２）により構成されることを特徴とする請求項１または２に記載の組立て式収納ボックス。
【請求項４】
前記複数の連結具（３０）には、４本の挿入片（３０Ｂ１）により構成されることを特徴とする請求項１または２に記載の組立て式収納ボックス。
【請求項５】
前記矩形板（１０）における挿入孔（１１）及びジョイント部材（２０）における貫通孔（２２）の壁面両側、及び前記ジョイント部材（２０）におけるコ字形の凹溝（２１）の壁面のうち前記凹溝（２１）に近い両側にそれぞれ内弧面（２３）が設けられると共に、前記連結具（３０）における係合片又は／及び挿入片の両側縁にそれぞれ前記内弧面（２３）と対応する外弧面（３３）が設けられることを特徴とする請求項１乃至４に記載の組立て式収納ボックス。
【請求項６】
前記矩形板（１０）は中空体であり、その内部に充填部材（１３）が設置されることを特徴とする請求項５に記載の組立て式収納ボックス。
【請求項７】
更に、前記矩形板（１０）の両側に２本の長尺部材（１２）が設けられ、該２本の長尺部材（１２）にそれぞれ複数の挿入孔（１１）が形成されることを特徴とする請求項６に記載の組立て式収納ボックス。
【請求項８】
前記矩形板（１０）は、４本の長尺部材（１２）を組み立てて形成した矩形枠体であり、その内部に充填部材（１３）が設置されると共に、該充填部材（１３）の両面にそれぞれ、該充填部材（１３）を覆うためのカバー（１４）が設けられることを特徴とする請求項７に記載の組立て式収納ボックス。
【請求項９】
該充填部材（１３）が紙からなり、前記矩形フレーム内にハニカム構造に形成されると共に、前記カバー（１４）も紙からなることを特徴とする請求項８に記載の組立て式収納ボ
ックス。
【発明の詳細な説明】
【技術分野】
【０００１】
本発明は、収納ボックスに関し、特に組立て自在な組立て式収納ボックスに関するものである。
【背景技術】
【０００２】
現代の生活環境においては生活空間が非常に狭いことから、空間をより合理的に利用する方法が常に考えられてきた。例えば、家具の開発業者等は、空間をより有効的に利用できる家具を開発販売しており、そのうち、収納ボックス等の家具においては、物を機能的に収納できるだけでなく、普段使うことのできない空間までも利用可能にしている。
【０００３】
また、市場においては、１つの収納室や三つの収納室を有する、様々なサイズの収納ボックスが販売されており、これらは固定式であることから、拡充する必要があるときには新たに購入し、既に設置されている収納ボックスの隣や上に容易に設置することができる。
【発明の開示】
【発明が解決しようとする課題】
【０００４】
しかしながら、上記の従来の収納ボックスには、収納容量の問題や、収納空間に収納ボックスを設置する際には、単純な設置方法しか用いることができないとの問題が有すると共に、隣接する二つの収納ボックスは、単に隣に配置するだけで、ボックス同士を直接に連結させることはできないことから、その分、空間や材料が無駄になるので、改良の余地があった。
【０００５】
そこで、出願されたのが本発明であって、組立て式収納ボックスを提供すること
により、上記従来の空間利用上の不都合を解消することを目的としている。
【課題を解決するための手段】
【０００６】
上記目的を達成するため、本願の請求項１の発明は、複数の矩形板（１０）と、複数のジョイント部材（２０）と、複数の連結具（３０）とを備え、該各矩形板（１０）における対向する両端面にそれぞれ複数の挿入孔（１１）が設けられると共に、該複数の矩形板（１０）は、収容空間を有する矩形の中空筺体を構成し、
前記複数のジョイント部材（２０）は隣接する２つの矩形板（１０）の間に設置され、その一面における矩形板（１０）の挿入孔（１１）と対応する位置にそれぞれ、相対する２つの面と連通する複数のコ字形の凹溝（２１）が形成されると共に、それらの凹溝（２１）と対向する面にそれぞれ該凹溝（２１）に連通する貫通孔（２２）が形成され、
前記連結具（３０）は、２本の係合片と２本の挿入片とが略十字状に交差した部材であり、その交差部は、前記ジョイント部材（２０）におけるコ字形の凹溝（２１）に嵌め込まれ、該挿入片は、矩形板（１０）の挿入孔（１１）に挿入されると共に、該係合片は、ジョイント部材（２０）における貫通孔（２２）に係合されることを特徴とする組立て式収納ボックス、を提供する。
【０００７】
そして、本願の請求項２の発明は、前記ジョイント部材（２０）の端部に少なくとも一つの固定孔（２４）が形成され、
更に、四つ角のそれぞれに各ジョイント部材（２０）の固定孔（２４）と対応する孔（４１）が形成された背面板（４０）と、
該孔（４１）に挿設することにより、該背面板（４０）をジョイント部材（２０）上に固定するためのピン（５０）とを有することを特徴とする請求項１に記載の組立て式収納
ボックス、を提供する。
【０００８】
更に、本願の請求項３の発明は、前記複数の連結具（３０）は、３本の挿入片（３０Ａ１）と１本の係合片（３０Ａ２）により構成されることを特徴とする請求項１または２に記載の組立て式収納ボックス、を提供する。
【０００９】
また、本願の請求項４の発明は、前記複数の連結具（３０）には、４本の挿入片（３０Ｂ１）により構成されることを特徴とする請求項１または２に記載の組立て式収納ボックス、を提供する。
【００１０】
そして、本願の請求項５の発明は、前記矩形板（１０）における挿入孔（１１）及びジョイント部材（２０）における貫通孔（２２）の壁面両側、及び前記ジョイント部材（２０）におけるコ字形の凹溝（２１）の壁面のうち前記凹溝（２１）に近い両側にそれぞれ内弧面（２３）が設けられると共に、前記連結具（３０）における係合片又は／及び挿入片の両側縁にそれぞれ前記内弧面（２３）と対応する外弧面（３３）が設けられることを特徴とする請求項１乃至４に記載の組立て式収納ボックス、を提供する。
【００１１】
更に、本願の請求項６の発明は、前記矩形板（１０）は中空体であり、その内部に充填部材（１３）が設置されることを特徴とする請求項５に記載の組立て式収納ボックス、を提供する。
【００１２】
また、本願の請求項７の発明は、更に、前記矩形板（１０）の両側に２本の長尺部材（１２）が設けられ、該２本の長尺部材（１２）にそれぞれ複数の挿入孔（１１）が形成されることを特徴とする請求項６に記載の組立て式収納ボックス、を提供する。
【００１３】
そして、本願の請求項８の発明は、前記矩形板（１０）は、４本の長尺部材（１２）を組み立てて形成した矩形枠体であり、その内部に充填部材（１３）が設置されると共に、該充填部材（１３）の両面にそれぞれ、該充填部材（１３）を覆うためのカバー（１４）が設けられることを特徴とする請求項７に記載の組立て式収納ボックス、を提供する。
【００１４】
更に、本願の請求項９の発明は、該充填部材（１３）が紙からなり、前記矩形フレーム内にハニカム構造に形成されると共に、前記カバー（１４）も紙からなることを特徴とする請求項８に記載の組立て式収納ボックス、を提供する。
【発明の効果】
【００１５】
本発明の組立て式収納ボックスは、該連結具における各係合片を各ジョイント部材の貫通孔に挿設して固定し、各挿入片を各矩形板の挿入孔に挿入することにより、好みの枚数の矩形板を組み立てて拡充し、様々な形状、大きさのボックスを構成させることができることから、以下に示すような効果を達成できる。
１．本発明は、複数の矩形板と、複数のジョイント部材と、複数の連結具とを組み合わせることにより四角形のボックスを形成させることから、ドライバーなどの手工具を使用ぜずとも、挿設のみで容易に組み立て作業を行うことができる。
２．組立ての構造を容易にしたことにより、コストの削減を図ることができるので、消費者にとっては非常に経済的である。
３．本発明の組立て式収納ボックスは、四つの方向に拡充することかできるので、収納空間の形状に応じて組立て方を変えられるので、バリエーションが豊富である。
４．矩形板の表面に模様を付して組み立てることによって、独創的なデザインを提供することができる。
その上、本発明では、一枚の矩形板のみにより二つの収納空間に分けるので、空間を有効的に利用することができる。
【発明を実施するための最良の形態】
【００１６】
以下、添付図面を参照して本発明の好適な実施の形態を詳細に説明する。
【００１７】
図１は本発明に係る組立て式収納ボックスの第一実施例の部分分解斜視図であり、図２は組立て式収納ボックスの第一実施例におけるジョイント部材の拡大斜視図であり、図３は組立て式収納ボックスの第一実施例におけるジョイント部材の部分拡大図であり、図４乃至図６は本発明に係る組立て式収納ボックスにおける連結具の各種の実施例を示す斜視図であり、図７は本発明に係る組立て式収納ボックスの第二実施例における背面板の組立て状態を示す分解斜視図であり、図８は組立て式収納ボックスの第二実施例の背面図であり、図９は本発明に係る組立て式収納ボックスの第三実施例の部分分解斜視図である。
【００１８】
図１に示すように、本発明の第一実施例は、複数の矩形板（１０）と、複数のジョイント部材（２０）と、複数の連結具（３０）とを備え、
該各矩形板（１０）は、その対向する両端面にそれぞれ複数の挿入孔（１１）が形成されると共に、四つの長尺部材（１２）と、一つの充填部材（１３）と、二つのカバー（１４）とを含み、該四つの長尺部材（１２）は、組み立てられて矩形枠体を形成し、その対向する二つの長尺部材（１２）の側端面にそれぞれ二つの挿入孔（１１）が形成されると共に、該充填部材（１３）は、該矩形枠体に設置され、再生紙からなり、ハニカム状に形成されるものである。故に、矩形板（１０）の重量を減らせば、構造強度を向上でき、且つ環境に配慮でき、コスト削減も図ることができる。該二つのカバー（１４）は紙からなり、充填部材（１３）を覆うものであるので、外側面に模様をつけることにより、デザイン性を向上でき、且つ矩形板（１０）の組み合わせや交換により、オリジナル性をより高めることができる。
【００１９】
図２及び図３に示すように、該ジョイント部材（２０）は、長い棒状を呈し、隣接する二つの矩形板（１０）の間に設置され、その一面における矩形板（１０）の挿入孔（１１）と対応する位置にそれぞれ、相対する２つの面と連通する複数のコ字形の凹溝（２１）が形成され、それらの凹溝（２１）と対向する面にそれぞれ該凹溝（２１）に連通する貫通孔（２２）が形成される。
【００２０】
図１及び図４に示すように、該連結具（３０）は、２本の係合片と２本の挿入片とが略十字状に交差した部材であり、２本の挿入片（３１）とそれより短い２本の係合片（３２）を有し、その交差部は、ジョイント部材（２０）におけるコ字形の凹溝（２１）に嵌め込まれ、該挿入片（３１）は、矩形板（１０）の挿入孔（１１）に挿入されると共に、該係合片（３２）は、ジョイント部材（２０）における貫通孔（２２）に係合される。即ち、該係合片（３２）は、ジョイント部材（２０）の貫通孔（２２）に挿設する際、貫通穴（２２）に隠れると共に、挿入片（３１）も矩形板（１０）の挿入孔（１１）に隠れ、更に、連結具（３０）における係合片（３２）と挿入片（３１）との交差部分も凹溝（２１）に隠される構成となっている。
【００２１】
図１に示すように、本発明の組立て式収納ボックスを使用する時は、先ず連結具（３０）における一つの係合片（３２）をジョイント部材（２０）の貫通孔（２２）に挿設して固定し、交差部分を凹溝（２１）に嵌め込むと共に、連結具（３０）における挿入片（３１）を一つの矩形板（１０）の挿入孔（１１）に挿入し、連結具（３０）及びジョイント部材（２０）を矩形板（１０）の一端に取り付けると共に、他の挿入片（３１）を他の矩形板（１０）の挿入孔（１１）に挿入する。そして、この作業を繰り返すことにより、四つの矩形板（１０）を連結して一つの四角形ボックスを組み立てる。
【００２２】
また、図１から図４に示すように、本発明は、更に前記矩形板（１０）における挿入孔
（１１）及びジョイント部材（２０）における貫通孔（２２）の壁面両側、及び前記ジョイント部材（２０）におけるコ字形の凹溝（２１）の壁面のうち前記凹溝（２１）に近い両側にそれぞれ内弧面（２３）が設けられると共に、前記連結具（３０）における係合片又は／及び挿入片の両側縁にそれぞれ前記内弧面（２３）と対応する外弧面（３３）が設けられることによって、連結具（３０）をより安定的に矩形板（１０）及びジョイント部材（２０）に固定する。
【００２３】
図７及び図８に示すように、本発明は、更に前記ジョイント部材（２０）の両側端にそれぞれ四つの固定孔（２４）が形成されると共に、背面板（４０）と、四つのピン（５０）とを含み、該背面板（４０）の四つ角にそれぞれ、各ジョイント部材（２０）の固定孔（２４）と対応する孔（４１）が形成され、該孔（４１）及び固定孔（２４）に該ピン（５０）を挿設することにより、背面板（４０）を各ジョイント部材（２０）の側端に固定する。
【００２４】
図５に示す実施例においては、連結具（３０Ａ）に三本の挿入片（３０Ａ１）と一本の係合片（３０Ａ２）が、図６に示す実施例においては、連結具（３０Ｂ）に四本の挿入片（３０Ｂ１）が設けられるので、必要に応じて連結具（３０Ａ）を使い分けることにより、収納ボックスの増減を調整することができる。
【００２５】
図９に示すように、前記実施例においては、連結具（３０Ｂ）を四つの矩形板（１０）におけるジョイント部材（２０）に取り付けることにより、挿入片（３０Ｂ１）を介して四つの矩形板（１０）に接続することができるので、水平及び垂直方向へのボックスの拡充ができ、また、連結具（３０Ａ）を最も端（例えば、壁側）にある矩形板（１０）のジョイント部材（２０）に取り付けることにより、挿入片（３０Ｂ１）を介して三つの矩形板（１０）に接続することができるので、壁側以外の各方向に収納ボックスを拡充することができる。
【産業上の利用可能性】
【００２６】
本発明は自由自在に組立て方を変えられるので、使用者の好みに応じて収納ボックスを作ることができるほか、構造が簡単なため手工具を使用ぜずに組立てることができる。
【図面の簡単な説明】
【００２７】
【図１】本発明に係る組立て式収納ボックスの第一実施例の部分分解斜視図である。
【図２】図２は組立て式収納ボックスの第一実施例におけるジョイント部材の拡大斜視図である。
【図３】図３は組立て式収納ボックスの第一実施例におけるジョイント部材の部分拡大図である。
【図４】図４は本発明に係る組立て式収納ボックスにおける連結具の各種の実施例を示す斜視図である。
【図５】図５は本発明に係る組み立て式収納ボックスにおける連結具のもう一つの実施例を示す斜視図である。
【図６】図６は本発明に係る組み立て式収納ボックスにおける連結具の更なる一つの実施例を示す斜視図である。
【図７】図７は本発明に係る組立て式収納ボックスの第二実施例における背面板の組立て状態を示す分解斜視図である。
【図８】図８は組立て式収納ボックスの第二実施例の背面図である。
【図９】図９は本発明に係る組立て式収納ボックスの第三実施例の部分分解斜視図である。
【符号の説明】
【００２８】
１０        矩形板
１１        挿入孔
１２        長尺部材
１３        充填部材
１４        カバー
２０        ジョイント部材
２１        凹溝
２２        貫通孔
２３        内弧面
２４        固定孔
３０、３０Ａ、３０Ｂ      連結具
３０Ａ１、３０Ｂ１、３１  挿入片
３０Ａ２、３２            係合片
３３        外弧面
４０        背面板
４１        孔
５０        ピン
【図１】
2010088624.tif 000003
【図２】
2010088624.tif 000004
【図３】
2010088624.tif 000005
【図４】
2010088624.tif 000006
【図５】
2010088624.tif 000007
【図６】
2010088624.tif 000008
【図７】
2010088624.tif 000009
【図８】
2010088624.tif 000010
【図９】
2010088624.tif 000011